(57)【特許請求の範囲】
【請求項１】
壁面(9)に対し略水平に固定される長尺のセットフレーム(12)と、スクリーン(15)が巻出し可能に巻き付けられた巻取パイプ(14)と、前記セットフレーム(12)の水平方向両端に固定され前記壁面(9)から離れる方向に突出した先端に前記巻取パイプ(14)が回転可能に軸支された一対のサイドプレート(13,13)と、前記巻取パイプ(14)の前面を覆うように設けられた長尺板状のロールカバー(21)と、前記ロールカバー(21)の両端に取付けられ前記一対のサイドプレート(13,13)を水平方向両側から覆う一対のサイドカバー(22,22)とを備えたロールスクリーンにおいて、
前記セットフレーム(21)の水平方向両側に水平方向に移動可能に取付けられ前記一対のサイドプレート(13,13)に外側から重合可能な一対の補助プレート(26,26)と、
前記一対の補助プレート(26,26)を前記セットフレーム(21)の両端に移動不能に固定する固定手段(26d,26e,27)と
を備え、
前記一対のサイドカバー(22,22)は前記一対のサイドプレート(13,13)に重合した前記一対の補助プレート(26,26)に対して水平方向両側から所定の間隔(B)をあけて前記一対の補助プレート(26,26)を挟むように前記ロールカバー(21)の両端に取付けられ、
互いの間隔を広げるように前記一対の補助プレート(26,26)が水平方向に移動して前記所定の間隔(B)が狭められると前記一対のサイドカバー(22,22)の前記壁面(9)から離れる前方と前記壁面(9)に近づく後方への移動及び上下方向への移動がそれぞれ禁止されるように構成され、
前記固定手段(26d,26e,27)は前記一対のサイドカバー(22,22)の前方と後方への移動及び上下方向への移動をそれぞれ禁止した前記一対の補助プレート(26,26)を前記セットフレーム(12)の両端に固定するように構成された
ことを特徴とするロールスクリーン。
【請求項２】
基端が壁面(9)に固定され前記壁面(9)から離れた先端がロールカバー(21)の上部を支持する支持ブラケット(19)を更に備える請求項１記載のロールスクリーン。
【発明の詳細な説明】
【技術分野】
【０００１】
本発明は、スクリーンが巻き付けられた巻取パイプの前面を覆うカバーを備えたロールスクリーンに関するものである。
【背景技術】
【０００２】
従来、建物の壁面等に対し略水平に固定される長尺のセットフレームと、スクリーンが巻出し可能に巻き付けられる巻取パイプと、そのセットフレームの水平方向両端に壁面から離れる方向に延出して固定されると共にその延出先端で巻取パイプを回転可能に軸支する一対のサイドプレートを主な構造要素として構成されるロールスクリーンが知られている。そして近年にあっては、その装飾性を重視して更にカバーを組み付ける場合も多い。そして、カバーの取付け作業をワンタッチで行えるように工夫されたロールスクリーン（例えば、特許文献１参照。）が提案されている。
【０００３】
このロールスクリーンの特徴は、巻取パイプの前面に渡る部分の必要な範囲を覆うように設けられた長尺板状のロ−ルカバーと、各サイドプレートに対し延出先端側から嵌挿固定され、かつロ−ルカバーの両端を支持している一対のサイドカバーとを備え、このサイドカバーには、サイドプレートに嵌挿された状態でセットフレームと例えば凹凸係合する抜け止め手段を設けた構成をなしている。そして、この抜け止め手段は、サイドカバーに設けた爪をセットフレームの凹部に係合させる形式とすることが開示されている。
このような構成のロールスクリーンは、ロールカバーを支持するために、このロールカバーの端部に固定されるサイドカバーを巻取パイプを軸支するサイドプレートに嵌挿嵌合させて、その状態におけるサイドカバーの抜け止めを爪の起立でサイドカバーを固定するようにしたため、ワンタッチの組み立て作業が実現できるとしている。また、サイドカバーを、既設のロールスクリーンのサイドプレートに嵌挿嵌合できるようにするだけで、容易に構成の変更ができるとしている。
【特許文献１】特開平６−８１５６３号公報（明細書［００１０］〜［００１２］、図１）
【発明の開示】
【発明が解決しようとする課題】
【０００４】
しかし、上記従来のロールスクリーンでは、ロールカバーの端部に固定されたサイドカバーを巻取パイプを軸支するサイドプレートに嵌挿嵌合させる必要性から、セットフレームの両端に固定された一対のサイドプレートの間隔に合わせて、比較的高い寸法精度でロールカバーの端部にサイドカバーを固定しなければならないという未だ解決すべき課題が残存していた。また、ロールカバーの端部に固定されて間隔が予め定められた一対のサイドプレートにサイドカバーを嵌挿させる必要から、その嵌合させる作業も比較的慎重に行わなければならないという課題も残存していた。
また、セットフレームとロールカバーが異なる材質であった場合には、それらの熱膨張率は相違することになるので、セットフレームの両端に固定された一対のサイドプレート間の寸法変化と、ロールカバーの両端に固定された一対のサイドカバー間の寸法変化は一致せずに、冬季と夏季の季節の相違等によりロールカバーが湾曲変形するような事態も生じる。従って、このような熱膨張率の相違に基づくロールカバーの変形を防止する必要もある。
本発明の目的は、高い精度を必要としないにもかかわらずロールカバーの組み付けが容易なロールスクリーンを提供することにある。
本発明の別の目的は、ロールカバーの変形を防止し得るロールスクリーンを提供することにある。
【課題を解決するための手段】
【０００５】
請求項１に係る発明は、図１、図３及び図５に示すように、壁面９に対し略水平に固定される長尺のセットフレーム１２と、スクリーン１５が巻出し可能に巻き付けられた巻取パイプ１４と、セットフレーム１２の水平方向両端に固定され壁面９から離れる方向に突出した先端に巻取パイプ１４が回転可能に軸支された一対のサイドプレート１３，１３と、巻取パイプ１４の前面を覆うように設けられた長尺板状のロールカバー２１と、ロールカバー２１の両端に取付けられ一対のサイドプレート１３，１３を水平方向両側から覆う一対のサイドカバー２２，２２とを備えたロールスクリーンの改良である。
その特徴ある構成は、セットフレーム２１の水平方向両側に水平方向に移動可能に取付けられ一対のサイドプレート１３，１３に外側から重合可能な一対の補助プレート２６，２６と、一対の補助プレート２６，２６をセットフレーム２１の両端に移動不能に固定する固定手段２６ｄ，２６ｅ，２７とを備え、一対のサイドカバー２２，２２は一対のサイドプレート１３，１３に重合した一対の補助プレート２６，２６に対して水平方向両側から所定の間隔Ｂをあけて一対の補助プレート２６，２６を挟むようにロールカバー２１の両端に取付けられ、互いの間隔を広げるように一対の補助プレート２６，２６が水平方向に移動して所定の間隔Ｂが狭められると一対のサイドカバー２２，２２の壁面９から離れる前方と壁面９に近づく後方への移動及び上下方向への移動がそれぞれ禁止されるように構成され、固定手段２６ｄ，２６ｅ，２７は一対のサイドカバー２２，２２の前方と後方への移動及び上下方向への移動をそれぞれ禁止した一対の補助プレート２６，２６をセットフレーム１２の両端に固定するように構成されたところにある。
【０００６】
この請求項１に記載されたロールスクリーンでは、ロールカバー２１の両端に取付けられた一対のサイドカバー２２，２２を一対のサイドプレート１３，１３に重合した一対の補助プレート２６，２６に対向させた後、一対の補助プレート２６，２６を互いの間隔が広がるように水平方向に移動させることにより一対のサイドカバー２２，２２の前方と後方への移動及び上下方向への移動を禁止することができる。このため、ロールカバー２１の両端に一対のサイドカバー２２，２２を高い寸法精度で取付けることを必要としない。また、一対のサイドカバー２２，２２の前方と後方への移動及び上下方向への移動を禁止した状態で一対の補助プレート２６，２６をセットフレーム１２の両端に固定するだけの比較的単純な作業でロールカバー２１を固定することができるので、一対の補助プレート２６，２６を移動して固定するだけの比較的単純な作業でロールカバー２１の組み付けが可能になり、ロールカバー２１の組み付けを従来より容易に行うことができる。
また、補助プレート２６とサイドカバー２２の間に所定の隙間Ｂを持たせることにより、セットフレーム１２の両端に固定された一対のサイドプレート１３，１３間の寸法変化と、ロールカバー２１の両端に固定された一対のサイドカバー２２，２２間の寸法変化の差をこの所定の隙間Ｂが吸収するので、冬季と夏季の季節の相違等によりセットフレーム１２とロールカバー２１の材質が異なることに起因する熱膨張率が相違しても、この熱膨張率の相違に基づくロールカバー２１の変形を有効に防止することができる。
【０００７】
請求項２に係る発明は、請求項１に係る発明であって、基端が壁面９に固定され壁面９から離れた先端がロールカバー２１の上部を支持する支持ブラケット１９を更に備えることを特徴とする。
この請求項２に記載されたロールスクリーンでは、図４の実線矢印で示すように、ロールカバー２１の上部を支持ブラケット１９の先端に支持させて回転させるだけの比較的単純な作業により、ロールカバー２１の両端に取付けられた一対のサイドカバー２２，２２を一対の補助プレート２６，２６に対向させることができ、ロールカバー２１の組付けを更に容易にすることができる。
【発明の効果】
【０００８】
本発明のロールスクリーンでは、セットフレームの水平方向両側に水平方向に移動可能に一対の補助プレートを取付け、一対の補助プレートに対して水平方向両側から所定の間隔をあけて一対の補助プレートを挟むように一対のサイドカバーをロールカバーの両端に取付け、互いの間隔を広げるように一対の補助プレートが水平方向に移動すると一対のサイドカバーの前後方向への移動及び上下方向への移動がそれぞれ禁止されるように構成し、一対のサイドカバーの移動を禁止した一対の補助プレートをセットフレームに固定するように構成したので、ロールカバーの両端に取付けられた一対のサイドカバーを一対の補助プレートに対向させた後、一対の補助プレートを水平方向に移動させて固定するだけの比較的単純な作業でロールカバーを固定することができる。このため、ロールカバーの両端に一対のサイドカバーを高い精度で取付けることを必要としないにもかかわらず、ロールカバーの組み付けを容易に行うことができる。
【０００９】
また、補助プレートとサイドカバーの間に所定の隙間を持たせることにより、セットフレームの両端に固定された一対のサイドプレート間の寸法変化と、ロールカバーの両端に固定された一対のサイドカバー間の寸法変化の差をこの所定の隙間により吸収させることができる。このため、冬季と夏季の季節の相違等によりセットフレームとロールカバーの材質が異なることに起因する熱膨張率が相違しても、この熱膨張率の相違に基づくロールカバーの変形を有効に防止することができる。
更に、基端が壁面に固定され壁面から離れた先端がロールカバーの上部を支持する支持ブラケットを更に備えれば、ロールカバーの上部を支持ブラケットの先端に支持させて回転させるだけの比較的単純な作業により、ロールカバーの両端に取付けられた一対のサイドカバーを一対の補助プレートに対向させることができ、ロールカバーの組付けを更に容易にすることができる。
【発明を実施するための最良の形態】
【００１０】
次に本発明を実施するための最良の形態を図面に基づいて説明する。
図４及び図５に示すように、ロールスクリーン１０は壁面９に対し固定用ブラケット１１を介して略水平に固定された長尺のセットフレーム１２を備える。図４に示すように、固定用ブラケット１１はセットフレーム１２を上下から把持する一対の爪１１ａ，１１ｃを有し、下爪１１ａが形成された第１ブロック体１１ｂに対して、上爪１１ｃを有する第２ブロック体１１ｄが上下動可能に取付けられる。そして、第１ブロック体１１ｂが壁面９に木ねじ８により固定される。この実施の形態では、後述する支持ブラケット１９を介して第１ブロック体１１ｂが壁面９に固定される場合を示す。セットフレーム１２はアルミニウム合金等の金属を押出成形することにより作られ、セットフレーム１２の下縁及び上縁には取付ブラケット１１の一対の爪１１ａ，１１ｃが係止する取付溝１２ａ，１２ｂがその押出成形時に同時に形成される。第２ブロック体１１ｄは図示しないバネにより一対の爪１１ａ，１１ｃの間隔を狭めるように付勢され、その一対の爪１１ａ，１１ｃでセットフレーム１２を上下から支持することによりそのセットフレーム１２は壁面９に対し略水平に固定される。
【００１１】
図５に戻って、セットフレーム１２の水平方向の両端には、壁面９から離れる方向に延出するサイドプレート１３，１３がそれぞれ設けられる。そして、この一対のサイドプレート１３，１３の延出先端の間には巻取パイプ１４が回転可能に軸支され、この巻取パイプ１４にはスクリーン１５が巻出し可能に巻き付けられる。なお、図中の符号１６はスクリーンの下端に組み付けられたウエイトバーであり、符号１７はそのウエイトバー１６を下方に引き下げるためのプルコードであり、符号１８はそのプルコート１７を引き下げる操作者が実際に把持するつまみを示す。
このロールスクリーン１０には、巻取パイプ１４の前面を覆うように形成された長尺板状のロールカバー２１と、このロールカバー２１の両端に組み付け固定された一対のサイドカバー２２，２２が備えられる。図３及び図４に詳しく示すように、ロールカバー２１は樹脂又は金属の押出成形材であって、その断面は巻取パイプ１４の前面を所定の間隔をあけて覆うように形成される。また、ロールカバー２１の上縁及び下縁の巻取パイプ１４側には、その上縁及び下縁を巻取パイプ１４側に折り返すようにしてなる溝２１ａ，２１ｂがそれぞれ形成される。
【００１２】
図４及び図５に示すように、取付ブラケット１１とともに壁面９に取付けられる支持ブラケット１９は帯状の鋼板をＬ字状に折り曲げることにより作られ、その基端が取付ブラケット１１における第１ブロック体１１ｂとともに壁面９に固定される。そして、壁面９から離れた支持ブラケット１９の先端はロールカバー２１の上部に形成された溝２１ａに係止するように上方に折り曲げられ、この折り曲げられた先端をその溝２１ａに進入させることにより、支持ブラケット１９の先端はロールカバー２１の水平方向の移動を許容しつつそのロールカバー２１の上部を支持するように構成される。
【００１３】
図３及び図４に示すように、サイドカバー２２はサイドプレート１３を外側から覆う覆い部２２ａとロールカバー２１の端部に取付けられる湾曲部２２ｂとを有する。サイドカバー２２の湾曲部２２ｂはロールカバー２１の巻取パイプ１４側内面に沿うように湾曲して形成され、その湾曲部２２ｂの上端及び下端がロールカバー２１の内面側における上縁及び下縁に形成されたそれぞれの溝２１ａ，２１ｂに挿入可能に形成される。このようにして湾曲部２２ｂはロールカバー２１の溝２１ａ，２１ｂに沿って、その長手方向に移動可能にロールカバー２１に取付けられる。また、図３に示すように、この湾曲部２２ｂには雌ねじ孔２２ｃが貫通して形成され、巻取パイプ１４側から雄ねじ２３を螺合するとその雌ねじ孔２２ｃを貫通した雄ねじ２３の先端がロールカバー２１の内面に当接してサイドカバー２２がロールカバー２１の長手方向へ移動することを禁止し、これによりサイドカバー２２のロールカバー２１に対する取付位置を調整できるように構成される。
【００１４】
図５に戻って、セットフレーム１２の水平方向両側には一対のサイドプレート１３，１３に外側から重合可能な一対の補助プレート２６，２６が水平方向に移動可能に取付けられる。一方の補助プレート２６を代表して説明すると、図３に示すように、補助プレート２６はセットフレーム１２の端部に壁面９側から重合する取付部２６ａとサイドプレート１３に外側から重合する重合部２６ｂを有する。セットフレーム１２の上縁及び下縁には取付ブラケット１１の一対の爪１１ａ，１１ｃ（図４）が係止する取付溝１２ａ，１２ｂがそれぞれ形成されているので、補助プレート２６の取付部２６ａにおける上縁及び下縁は折り返されてセットフレーム１２の上縁及び下縁に形成されたそれぞれの取付溝１２ａ，１２ｂに進入する進入片２６ｃがその取付部２６ａの上下に形成される。そして、この補助プレート２６は進入片２６ｃをセットフレーム１２の水平方向の端縁からその上縁及び下縁に形成されたそれぞれの取付溝１２ａ，１２ｂに挿入することにより水平方向に移動可能にセットフレーム１２の水平方向両側に取付けられる。
【００１５】
一方、このロールスクリーン１０は、一対の補助プレート２６，２６をセットフレーム１２の両端に移動不能に固定する固定手段を備える。この実施の形態における固定手段は、進入片２６ｃに並んで補助プレート２６の取付部２６ａに形成された覆い片２６ｄと、その覆い片２６ｄに形成された雌ねじ孔２６ｅと、その雌ねじ孔２６ｅに螺合された取付ねじ２７とにより構成される。覆い片２６ｄは、進入片２６ｃに並んで補助プレート２６の取付部２６ａにおける上縁及び下縁を略直角に折り曲げ、セットフレーム１２の上縁及び下縁に形成されたそれぞれの取付溝１２ａ，１２ｂを覆うようにその取付部２６ａの上下に形成される。そして、それらの覆い片２６ｄには雌ねじ孔２６ｅがそれぞれ形成され、下方から取付ねじ２７を螺合するとその雌ねじ孔２６ｅを貫通した取付ねじ２７の上端がセットフレーム１２に当接して補助プレート２６をセットフレーム１２の両端に移動不能に固定するように構成される。
【００１６】
ここで、図２に示すように、一対のサイドカバー２２，２２は、一対のサイドプレート１３，１３に重合した一対の補助プレート２６，２６に対して水平方向両側から所定の間隔Ｂをあけて一対の補助プレート２６，２６を挟むようにロールカバー２１の両端に取付けられる。図３に示すように、補助プレート２６を外側から覆うサイドカバー２２の覆い部２２ａには、その補助プレート２６を上下から挟むフランジ２２ｄが上部及び下部に形成される。図２に示すように、補助プレート２６の重合部２６ｂを上下から挟むフランジ２２ｄの水平方向における幅Ｗは補助プレート２６の厚さｔの３〜９倍となるように形成され、一対の補助プレート２６，２６が、互いの間隔を広げるように水平方向に移動して所定の間隔Ｂを狭めると、補助プレート２６の重合部２６ｂがサイドカバー２２に形成されたフランジ２２ｄ，２２ｄの間に進入した段階でサイドカバー２２の上下方向への移動がそれぞれ禁止されるように構成される。
【００１７】
また、補助プレート２６の重合部２６ｂにおける上下には切り欠き２６ｆがそれぞれ形成され、サイドカバー２２の覆い部２２ａには、その覆い部２２ａが補助プレート２６に接近した状態でその切り欠き２６ｆに進入し、そのサイドカバー２２の壁面９から離れる前方と壁面９に近づく後方への移動をそれぞれ禁止するリブ２２ｅが形成される。そのリブ２２ｅはフランジ２２ｄの水平方向における幅Ｗの全体に渡って形成され、図２の実線矢印で示すように、一対の補助プレート２６，２６を水平方向に移動して補助プレート２６の重合部２６ｂがサイドカバー２２に形成されたフランジ２２ｄ，２２ｄの間に進入すると、サイドカバー２２に形成された図３に示すリブ２２ｅが補助プレート２６の切り欠き２６ｆに進入して一対のサイドカバー２２の壁面９から離れる前方と壁面９に近づく後方への移動をそれぞれ禁止するように構成される。そして、補助プレート２６に形成された固定手段である覆い片２６ｄの雌ねじ孔２６ｅに下方から取付ねじ２７を螺合し、その雌ねじを貫通した取付ねじ２７の上端をセットフレーム１２に当接させることにより、サイドカバー２２の移動を禁止した補助プレート２６をセットフレーム１２の両端に移動不能に固定するように構成される。
【００１８】
次に、このように構成されたロールスクリーン１０の取付け手順を説明する。
図４に示すように、先ず、支持ブラケット１９を介して固定用ブラケット１１を壁面９に固定する。それとともに、セットフレーム１２の両端には一対のサイドプレート１３，１３を取付け、この一対のサイドプレート１３，１３の延出先端の間に巻取パイプ１４を回転可能に軸支させる。このように巻取パイプ１４が一対のサイドプレート１３，１３を介して取付けられたセットフレーム１２を壁面９に水平に固定する。具体的には、壁面９に固定された固定用ブラケット１１の一対の爪１１ａ，１１ｃによりセットフレーム１２を上下から把持させることにより、そのセットフレーム１２を壁面９に水平に固定する。
【００１９】
次に、補助プレート２６，２６をセットフレーム１２の水平方向両側に取付ける。具体的には、セットフレーム１２の水平方向両側から一対の補助プレート２６，２６の取付部２６ａにおける進入片２６ｃをセットフレーム１２の上縁及び下縁に形成されたそれぞれの取付溝１２ａ，１２ｂに進入させ、その一対の補助プレート２６，２６をセットフレーム１２の両端に水平方向に移動可能にセットフレーム１２の水平方向両側に取付ける。
一方、ロールカバー２１の両端にはサイドカバー２２をそれぞれ取付ける。具体的には、図３に示すように、サイドカバー２２の湾曲部２２ｂの上端及び下端をロールカバー２１の内面側における上縁及び下縁に形成されたそれぞれの溝２１ａ，２１ｂに挿入する。そして、図２に示すように、一対のサイドプレート１３，１３に重合した一対の補助プレート２６，２６に対して、一対のサイドカバー２２が水平方向両側から所定の間隔をあけて一対の補助プレート２６，２６を挟むようにロールカバー２１の両端に位置させる。この状態でサイドカバー２２の湾曲部２２ｂに形成された図３に示す雌ねじ孔２２ｃに巻取パイプ１４側から雄ねじ２３を螺合させ、その雌ねじ孔２２ｃを貫通した雄ねじ２３の先端をロールカバー２１の内面に当接させてサイドカバー２２のロールカバー２１の長手方向への移動を禁止させる。
【００２０】
このようにしてサイドカバー２２が両端に取付けられたロールカバー２１の上部に形成された溝２１ａを、図４の一点鎖線で示すように壁面９から離れた支持ブラケット１９の先端に係止させる。そして、支持ブラケット１９の先端に上縁が支持されたロールカバー２１の可鍛を壁面９に近づけるようにそのロールカバー２１を実線矢印で示すように回転させ、図２に示すようにサイドカバー２２の覆い部２２ａを補助プレート２６に対向させる。その状態で一対の補助プレート２６，２６を図２の実線矢印で示すように、互いの間隔を広げるように水平方向に移動してサイドプレート１３との間に生じた所定の間隔Ｂを図１に示すように狭める。これにより、サイドカバー２２に形成されたリブ２２ｅが補助プレート２６の切り欠き２６ｆに進入して一対のサイドカバー２２の壁面９から離れる前方と壁面９に近づく後方への移動がそれぞれ禁止され、サイドカバー２２の覆い部２２ａの上下に形成されたフランジ２２ｄがその補助プレート２６を上下から挟むことによりサイドカバー２２の上下方向への移動をそれぞれ禁止させる。そして、図３に示すように、補助プレート２６に形成された固定手段である覆い片２６ｄの雌ねじ孔２６ｅに下方から取付ねじ２７を螺合し、その雌ねじを貫通した取付ねじ２７の上端をセットフレーム１２に当接させ、補助プレート２６をセットフレーム１２の両端に移動不能に固定する。これにより、一対のサイドカバー２２の前方と後方への移動及び上下方向への移動をそれぞれ禁止した一対の補助プレート２６，２６はセットフレーム１２の両端に固定され、これをもって本発明のロールスクリーン１０の取付け作業を終了する。
【００２１】
このように、本発明のロールスクリーン１０では、ロールカバー２１の両端に取付けられた一対のサイドカバー２２，２２を一対のサイドプレート１３，１３に重合した一対の補助プレート２６，２６に対向させた後、一対の補助プレート２６，２６を互いの間隔が広がるように水平方向に移動させることにより一対のサイドカバー２２，２２の前方と後方への移動及び上下方向への移動を禁止することができる。このため、ロールカバー２１の両端に一対のサイドカバー２２，２２を高い寸法精度で取付けることを必要としない。
【００２２】
また、一対のサイドカバー２２，２２の前方と後方への移動及び上下方向への移動を禁止した状態で一対の補助プレート２６，２６をセットフレーム１２の両端に固定するだけの比較的単純な作業でロールカバー２１を固定することができるので、一対の補助プレート２６，２６を移動して固定するだけの比較的単純な作業でロールカバー２１の組み付けが可能になり、ロールカバー２１の組み付けを従来より容易に行うことができる。
【００２３】
また、サイドカバー２２のフランジ２２ｄの水平方向における幅Ｗを補助プレート２６の厚さｔの３〜９倍とし、補助プレート２６の重合部２６ｂがそのフランジ２２ｄ，２２ｄの間に進入した段階でサイドカバー２２の前後方向及び上下方向への移動をそれぞれ禁止するように構成したので、補助プレート２６とサイドカバー２２の間に所定の隙間Ｂを残存させることにより、セットフレーム１２の両端に固定された一対のサイドプレート１３，１３間の寸法変化と、ロールカバー２１の両端に固定された一対のサイドカバー２２，２２間の寸法変化の差をこの所定の隙間Ｂに吸収させることができる。このため、冬季と夏季の季節の相違等によりセットフレーム１２とロールカバー２１の材質が異なることに起因する熱膨張率が相違しても、この熱膨張率の相違に基づくロールカバー２１の変形を有効に防止することができる。ここで、フランジ２２ｄの幅Ｗが補助プレート２６の厚さｔの３倍未満であると、寸法変化の差を吸収する所定の隙間Ｂを十分に得ることができず、その幅Ｗが補助プレート２６の厚さｔの９倍を越えると、補助プレート２６を移動させる量が増大して取付けの作業性を悪化させることになる。
【００２４】
更に、基端が壁面９に固定されその壁面９から離れた先端がロールカバー２１の上部を支持する支持ブラケット１９を備えたので、図４の実線矢印で示すように、ロールカバー２１の上部を支持ブラケット１９の先端に支持させて回転させるだけの比較的単純な作業により、ロールカバー２１の両端に取付けられた一対のサイドカバー２２，２２を一対の補助プレート２６，２６に対向させることができ、ロールカバー２１の組付けを更に容易にすることができる。
【図面の簡単な説明】
【００２５】
【図１】本発明実施形態のロールスクリーンの上面図である。
【図２】その補助プレートがサイドプレートに重合した状態を示す図１に対応する上面図である。
【図３】そのロールスクリーンの端部の拡大分解斜視図である。
【図４】図５のＡ−Ａ線断面図である。
【図５】そのロールスクリーンの分解斜視図である。
【符号の説明】
【００２６】
９  壁面
１０  ロールスクリーン
１２  セットフレーム
１３  サイドプレート
１４  巻取パイプ
１５  スクリーン
１９  支持ブラケット
２１  ロールカバー
２２  サイドカバー
２６  補助プレート
２６ｄ  覆い片（固定手段）
２６ｅ  雌ねじ孔（固定手段）
２７  取付ねじ（固定手段）
Ｂ  所定の間隔
【図１】
0004745067.tif 000002
【図２】
0004745067.tif 000003
【図３】
0004745067.tif 000004
【図４】
0004745067.tif 000005
【図５】
0004745067.tif 000006